(57)【特許請求の範囲】
【請求項１】
本体に取り付けられたモータの回転軸に挿着した偏心軸を、前記本体に立設された弾性支柱に支持された振動板に回転可能に挿入して、前記振動板の振動によりマッサージを施すマッサージ機において、
前記振動板から前記モータ側に延出され、前記モータの一部が内部に入り込む円筒部に重りを取り付けたことを特徴とするマッサージ機。
【請求項２】
前記円筒部の外周に弾性パッドを取り付けたことを特徴とする請求項１記載のマッサージ機。
【発明の詳細な説明】
【０００１】
【産業上の利用分野】
本発明は、振動板の振動によりマッサージを施すマッサージ機に関するものである。
【０００２】
【従来の技術】
従来より、実公昭５１−２４１５２号公報にあるように、中央部を僅かに窪ませたパッドが取り付けられた振動板を弾性を有する支持柱により支持し、モータの回転軸に装着した偏心軸を振動板に回転可能に挿入して、腰等の施療部に当てたパッドをモータの回転に応じて振動させ、マッサージを施すように構成したマッサージ機が知られている。
【０００３】
【発明が解決しようとする課題】
しかしながら、こうした従来のものでは、モータの回転により振動される振動板やパッド等の重心位置とモータ内の軸受け等の位置との距離が遠く、偏心軸の偏心量よりも大きな振幅で振動してしまう傾向があった。振動板に更に他の施療子を設けた場合には、重心位置とモータ内の軸受け等の位置との距離が更に遠くなり、振幅が大きくなりすぎてしまうという問題があった。
【０００４】
そこで本発明は上記の課題を解決することを目的とし、振動板が必要以上に大きな振幅で振動しないように改善したマッサージ機を提供することにある。
【０００５】
【課題を解決するための手段】
かかる目的を達成すべく、本発明は課題を解決するための手段として次の構成を取った。即ち、
本体に取り付けられたモータの回転軸に挿着した偏心軸を、前記本体に立設された弾性支柱に支持された振動板に回転可能に挿入して、前記振動板の振動によりマッサージを施すマッサージ機において、
前記振動板から前記モータ側に延出され、前記モータの一部が内部に入り込む円筒部に重りを取り付けたことを特徴とするマッサージ機の構成がそれである。
【０００６】
更に、前記円筒部の外周に弾性パッドを取り付けた構成としてもよい。
【０００７】
【作用】
前記構成を有するマッサージ機は、モータの回転軸の回転により、偏心軸が回転して、弾性支柱に支持された振動板を振動させ、患部にマッサージを施す。また、円筒部に重りを取り付けたので、円筒部に容易に重りを配置することができ、重りが偏心軸により振動される側の重心位置をモータ側に移すので、振動板が必要以上の振幅で振動するのを防止する。
【０００８】
更に、円筒部に弾性バッドを配置して、弾性バッドによりマッサージを施すこともできる。
【０００９】
【実施例】
以下本発明の実施例を図面に基づいて詳細に説明する。
図１に示すように、１は振動板で、振動板１は支持部材２に取り付けられており、支持部材２は、振動板１が取り付けられた取付部４と、取付部４から本体ケース６側に延出された円筒部８とを備えている。円筒部８の外周には、スポンジ等の弾性バッド９、重り１１が取り付けられている。
【００１０】
本体ケース６にはモータ１２が内装されており、円筒部８の先端がモータ１２と重なり合い、モータ１２の一部が円筒部８内に入り込むように、円筒部８が延出されている。この円筒部８の先端に重り１１が取り付けられると共に、振動板１側に弾性バッド９が取り付けられている。重り１１は、鉄板等を積層して形成してもよく、あるいは、鉛等により形成してもよく、重り１１の表面は、軟らかい材質のもので覆うのが好ましい。
【００１１】
また、取付部４は、複数の弾性支柱１０により本体ケース６に支持されており、モータ１２の回転軸１４は、本体ケース６から取付部４に向かって突き出されている。回転軸１４には、スペーサ１５、バランスウエイト１６が取り付けられた冷却ファン１８が挿着されると共に、偏心軸２０が螺着されている。
【００１２】
偏心軸２０の先端は、取付部４にホルダー２２を介して装着されたベアリング２４に挿入されており、偏心軸２０により、回転軸１４の中心とベアリング２４の回転中心とが所定の偏心量で偏心されて構成されている。また、偏心方向は、前記バランスウエイト１６と反対方向となるように形成されている。
【００１３】
更に、本体ケース６には、Ｔ字状ハンドル２６が一体的に形成されると共に、このハンドル２６に対向して棒状ハンドル２８が揺動可能に設けられている。そして、棒状ハンドル２８内を通った電源コード３０は、Ｔ字状ハンドル２６内に配置されたスイッチ３２に接続されており、つまみ３４を操作して、スイッチ３２を入・切できるように構成されている。
【００１４】
一方、振動板１の表側には、先端が球状に形成され振動板１に取り付けた根元が少し細くされた複数の、本実施例では４個の球状突部３６，３８（一部のみ図示する。）が形成されている。そして、各球状突部３６，３８は、それぞれ弾性施療子４０〜４３の柱部４４〜４６（一部のみ図示する。）に形成された係合孔４８，５０（一部のみ図示する）に挿入されている。係合孔４８，５０は、球状突部３６，３８に応じた形状に形成されており、柱部４４〜４６が弾性変形して、各球状突部３６，３８から弾性施療子４０〜４３を取り外したり、取り付けたりできるように、着脱可能に形成されている。
【００１５】
また、柱部４４，４６の先端には、径方向に広がった触部５２〜５５が一体的に形成されており、本実施例では、触部５２〜５５は、外側に向かって開かれ、ほぼ椀状に湾曲されて形成されている。しかも、触部５２〜５５は、その先端に向かって徐々にその厚さが薄くなるように形成されており、更に、触部５２〜５５には、それぞれ貫通孔５６〜５９が穿設されている。
【００１６】
弾性施療子４０〜４３は、柱部４４，４６と触部５２〜５５とが一体に、ゴムや合成樹脂等の弾性を有する素材で形成されている。尚、本実施例では、触部５２〜５５は、椀状に形成されているが、これに限らず、平板状であっても、あるいは外側に向かって突き出た笠状であっても実施可能である。
【００１７】
更に、各弾性施療子４０〜４３は、例えば、屈曲させた膝の関節や屈曲させた肘の関節、あるいは、肩の関節等の凸状に突き出る凸状施術部６０を当てた際に、弾性施療子４０〜４３が弾性変形して、各触部５２〜５５が凸状施術部６０の形状に倣って変形して、凸状施術部６０を被覆する間隔に各弾性施療子４０〜４３及び球状突部３６，３８が配置されている。あるいは、このような弾性施療子４０〜４３，球状突部３６，３８を設けることなく、振動板１の表面にスポンジ等からなる弾性バッドを取り付けてもよい。
【００１８】
振動板１、支持部材２、弾性施療子４０〜４３等のモータ１２で振動される各部材の合成した重心位置が、特に、弾性施療子４０〜４３を設けると、モータ１２内の図示しない軸受けから遠くなる。前述した重り１１の重量は、モータ１２で振動される各部材の合成した重心位置とモータ１２の軸受けの位置との距離が近くなるように決定される。
【００１９】
また、円筒部８に重り１１を取り付けることにより、合成重心位置とモータ１２内の軸受けの位置との距離を接近させ、さらには、１組の軸受けの間にも移すことができるようになる。しかも、円筒部８に弾性パッド９を設けることもできる。一方、バランスウエイト１６は、偏心軸２０の偏心による回転軸１４と直交する方向の重量アンバランスを解消するように、その重量が定められている。
【００２０】
次に、前述したマッサージ機の作動について説明する。
まず、図３に示すように、凸状施術部６０を各弾性施療子４０〜４３の中央で、各触部５２〜５５に当たるようにして押し付ける。これにより、各弾性施療子４０〜４３が弾性変形して、各触部５２〜５５が凸状施術部６０の形状に倣って変形し、凸状施術部６０を被覆する。尚、各触部５２〜５４が凸状施術部６０に密着しても、貫通孔５６〜５９により、各触部５２〜５５が吸盤として作用するのを防ぐ。
【００２１】
各触部５２〜５５は、椀状に湾曲しているので、先端ほどその弾性変形量が大きく、先端に接触している凸状施術部６０でも大きな押圧力が確保される。しかも、各触部５２〜５５の先端に向かってその厚さが薄く形成されているので、触部５２〜５５が当たっている凸状施術部６０をその全体にわたってほぼ同じ強さの押圧力で押す。
【００２２】
モータ１２を回転駆動させると、回転軸１４の回転と共に偏心軸２０が回転し、ベアリング２４を介して支持部材２が偏心軸２０の偏心量に応じて振動する。この支持部材２と共に振動板１も振動し、球状突部３６，３８を介して各弾性施療子４０〜４３が振動する。
【００２３】
このとき、重り１１を含めた振動される各部材の合成重心位置は、重り１１により、モータ１２側に移されているので、弾性施療子４０〜４３が偏心軸２０の偏心量を大きく上回る振幅で振動するのを防止される。よって、快適なマッサージを受けることができる。
【００２４】
各触部５２〜５５の振動により、凸状施術部６０にマッサージが施され、膝や肘、あるいは肩の関節等の凸状施術部６０であっても、マッサージを施すことができる。一方、球状突部３６，３８から各弾性施療子４０〜４３を取り外し、球状突部３６，３８を施術部に当てて、振動板１を振動させることにより、指圧を施すことができる。また、弾性バッド９を患部に当てて、同様にマッサージを施すこともできる。
【００２５】
以上本発明はこの様な実施例に何等限定されるものではなく、本発明の要旨を逸脱しない範囲において種々なる態様で実施し得る。
【００２６】
【発明の効果】
以上詳述したように本発明のマッサージ機は、重りにより、モータにより振動される各部材の合成重心位置をモータ側に移すことができるので、偏心軸の偏心量を上回る大きな振幅で振動するのを防止することができるという効果を奏する。また、円筒部を設けたので、重りの配置が容易になり、また、モータ側に重心位置を移すことが容易になる。更に、円筒部に弾性パッドを配置することもでき、弾性パッドによりマッサージを受けることもできる。
【図面の簡単な説明】
【図１】本発明の一実施例としてのマッサージ機の断面図である。
【図２】本実施例のマッサージ機の正面図である。
【図３】本実施例のマッサージ機の使用状態を示す要部斜視図である。
【符号の説明】
１…振動板              ６…本体ケース
９…弾性パッド          １０…弾性支柱
１１…重り              １２…モータ
１４…回転軸            ３６，３８…球状突部
４０〜４３…弾性施療子  ４４，４６…柱部
５２〜５５…触部        ６０…凸状施術部
【図１】
0003770633.tif 000002
【図２】
0003770633.tif 000003
【図３】
0003770633.tif 000004